(57)【要約】【課題】電子機器の操作性を向上することが可能な技術を提供する。【解決手段】記憶部は、表示情報利用処理と、当該表示情報利用処理の実行を指示するための実行指示操作とが対応付けられて登録された対応関係テーブルを記憶する。処理実行部２００は、画面操作特定部２１０において、表示画面に表示される情報を選択する選択操作に続けて、当該表示画面に対して実行指示操作が行われたことが特定されると、対応関係テーブルにおいて当該実行指示操作に対応付けられている表示情報利用処理を、当該選択操作によって選択された情報を用いて実行する。【選択図】図６
2013092821.tif 000002
【特許請求の範囲】
【請求項１】
タッチパネルである表示画面と、
前記表示画面に対する操作を特定する画面操作特定部と、
前記画面操作特定部で特定された操作に応じた処理を実行する処理実行部と、
前記表示画面に表示されている情報を用いた処理と、当該処理の実行を指示するための前記表示画面に対する実行指示操作とが対応付けられて登録された対応関係情報を記憶する記憶部と
を備え、
前記処理実行部は、前記画面操作特定部において、前記表示画面に表示される情報を選択する選択操作に続けて、当該表示画面に対して前記実行指示操作が行われたことが特定されると、前記対応関係情報において当該実行指示操作に対応付けられている処理を、当該選択操作によって選択された情報を用いて実行する、電子機器。
【請求項２】
請求項１に記載の電子機器であって、
前記対応関係情報においては、情報のコピー、情報の切り取り、情報の翻訳、情報の検索及び情報の辞書登録の少なくとも一つの処理が登録されている、電子機器。
【請求項３】
請求項１及び請求項２のいずれか一つに記載の電子機器であって、
前記対応関係情報においては、前記実行指示操作として、スライド操作あるいはフリック操作が登録されている、電子機器。
【請求項４】
請求項３に記載の電子機器であって、
前記対応関係情報においては、前記実行指示操作として、複数種類のスライド操作あるいは複数種類のフリック操作が登録されている、電子機器。
【請求項５】
請求項３に記載の電子機器であって、
前記対応関係情報においては、前記実行指示操作として、所定方向へのスライド操作あるいは所定方向へのフリック操作が登録されている、電子機器。
【請求項６】
請求項５に記載の電子機器であって、
前記記憶部は、前記対応関係情報として、前記選択操作によって選択される情報が横書きである場合に使用される第１対応関係情報と、前記選択操作によって選択される情報が縦書きである場合に使用されるが第２対応関係情報とを記憶しており、
前記第１対応関係情報においては、上方向のスライド操作及び下方向のスライド操作の少なくとも一方あるいは上方向のフリック操作及び下方向のフリック操作の少なくとも一方が登録されており、
前記第２対応関係情報においては、左方向のスライド操作及び右方向のスライド操作の少なくとも一方あるいは左方向のフリック操作及び右方向のフリック操作の少なくとも一方が登録されている、電子機器。
【請求項７】
請求項１乃至請求項６のいずれか一つに記載の電子機器であって、
前記画面操作特定部において、前記表示画面に対して前記選択操作が行われたことが特定されると、当該表示画面には前記対応関係情報が表示される、電子機器。
【請求項８】
タッチパネルである表示画面を有し、当該表示画面に表示されている情報を用いた処理と、当該処理の実行を指示する、当該表示画面に対する実行指示操作とが対応付けられて登録された対応関係情報を記憶する電子機器を制御するための制御プログラムであって、
前記電子機器に、
（ａ）前記表示画面に対する操作を特定する工程と、
（ｂ）前記工程（ａ）において、前記表示画面に表示される情報を選択する選択操作に続けて、当該表示画面に対して前記実行指示操作が行われたことが特定されると、前記対応関係情報において当該実行指示操作に対応付けられている処理を、当該選択操作によって選択された情報を用いて実行する工程と
を実行させるための制御プログラム。
【請求項９】
タッチパネルである表示画面を有し、当該表示画面に表示されている情報を用いた処理と、当該処理の実行を指示する、当該表示画面に対する実行指示操作とが対応付けられて登録された対応関係情報を記憶する電子機器での処理実行方法であって、
（ａ）前記表示画面に対する操作を特定する工程と、
（ｂ）前記工程（ａ）において、前記表示画面に表示される情報を選択する選択操作に続けて、当該表示画面に対して前記実行指示操作が行われたことが特定されると、前記対応関係情報において当該実行指示操作に対応付けられている処理を、当該選択操作によって選択された情報を用いて実行する工程と
を備える、処理実行方法。
【発明の詳細な説明】
【技術分野】
【０００１】
本発明は、タッチパネルである表示画面を備える電子機器に関する。
【背景技術】
【０００２】
従来から電子機器に関して様々な技術が提案されている。例えば特許文献１には、電子機器の一種である携帯電話機に関する技術が開示されている。
【先行技術文献】
【特許文献】
【０００３】
【特許文献１】特開２００４−１７０４４４号公報
【発明の概要】
【発明が解決しようとする課題】
【０００４】
さて、電子機器においては、その操作性の向上が望まれている。
【０００５】
そこで、本発明は上述の点に鑑みて成されたものであり、電子機器の操作性を向上することが可能な技術を提供することを目的とする。
【課題を解決するための手段】
【０００６】
上記課題を解決するため、本発明に係る電子機器は、タッチパネルである表示画面と、前記表示画面に対する操作を特定する画面操作特定部と、前記画面操作特定部で特定された操作に応じた処理を実行する処理実行部と、前記表示画面に表示されている情報を用いた処理と、当該処理の実行を指示するための前記表示画面に対する実行指示操作とが対応付けられて登録された対応関係情報を記憶する記憶部とを備え、前記処理実行部は、前記画面操作特定部において、前記表示画面に表示される情報を選択する選択操作に続けて、当該表示画面に対して前記実行指示操作が行われたことが特定されると、前記対応関係情報において当該実行指示操作に対応付けられている処理を、当該選択操作によって選択された情報を用いて実行する。
【０００７】
また、本発明に係る電子機器の一態様では、前記対応関係情報においては、情報のコピー、情報の切り取り、情報の翻訳、情報の検索及び情報の辞書登録の少なくとも一つの処理が登録されている。
【０００８】
また、本発明に係る電子機器の一態様では、前記対応関係情報においては、前記実行指示操作として、スライド操作あるいはフリック操作が登録されている。
【０００９】
また、本発明に係る電子機器の一態様では、前記対応関係情報においては、前記実行指示操作として、複数種類のスライド操作あるいは複数種類のフリック操作が登録されている。
【００１０】
また、本発明に係る電子機器の一態様では、前記対応関係情報においては、前記実行指示操作として、所定方向へのスライド操作あるいは所定方向へのフリック操作が登録されている。
【００１１】
また、本発明に係る電子機器の一態様では、前記記憶部は、前記対応関係情報として、前記選択操作によって選択される情報が横書きである場合に使用される第１対応関係情報と、前記選択操作によって選択される情報が縦書きである場合に使用されるが第２対応関係情報とを記憶しており、前記第１対応関係情報においては、上方向のスライド操作及び下方向のスライド操作の少なくとも一方あるいは上方向のフリック操作及び下方向のフリック操作の少なくとも一方が登録されており、前記第２対応関係情報においては、左方向のスライド操作及び右方向のスライド操作の少なくとも一方、あるいは左方向のフリック操作及び右方向のフリック操作の少なくとも一方が登録されている。
【００１２】
また、本発明に係る電子機器の一態様では、前記画面操作特定部において、前記表示画面に対して前記選択操作が行われたことが特定されると、当該表示画面には前記対応関係情報が表示される。
【００１３】
また、本発明に係る制御プログラムは、タッチパネルである表示画面を有し、当該表示画面に表示されている情報を用いた処理と、当該処理の実行を指示する、当該表示画面に対する実行指示操作とが対応付けられて登録された対応関係情報を記憶する電子機器を制御するための制御プログラムであって、前記電子機器に、（ａ）前記表示画面に対する操作を特定する工程と、（ｂ）前記工程（ａ）において、前記表示画面に表示される情報を選択する選択操作に続けて、当該表示画面に対して前記実行指示操作が行われたことが特定されると、前記対応関係情報において当該実行指示操作に対応付けられている処理を、当該選択操作によって選択された情報を用いて実行する工程とを実行させる。
【００１４】
また、本発明に係る処理実行方法は、タッチパネルである表示画面を有し、当該表示画面に表示されている情報を用いた処理と、当該処理の実行を指示する、当該表示画面に対する実行指示操作とが対応付けられて登録された対応関係情報を記憶する電子機器での処理実行方法であって、（ａ）前記表示画面に対する操作を特定する工程と、（ｂ）前記工程（ａ）において、前記表示画面に表示される情報を選択する選択操作に続けて、当該表示画面に対して前記実行指示操作が行われたことが特定されると、前記対応関係情報において当該実行指示操作に対応付けられている処理を、当該選択操作によって選択された情報を用いて実行する工程とを備える。
【発明の効果】
【００１５】
本発明によれば、電子機器の操作性が向上する。
【図面の簡単な説明】
【００１６】
【図１】閉状態の電子機器の外観を示す斜視図である。
【図２】閉状態の電子機器の外観を示す斜視図である。
【図３】開状態の電子機器の外観を示す斜視図である。
【図４】開状態の電子機器の外観を示す斜視図である。
【図５】電子機器の電気的構成を示すブロック図である。
【図６】制御部の機能ブロック構成を示す図である。
【図７】対応関係テーブルの一例を示す図である。
【図８】対応関係テーブルの一例を図形化したものを示す図である。
【図９】ユーザが情報を選択する様子を示す図である。
【図１０】情報が選択された後の表示画面の表示例を示す図である。
【図１１】ユーザが実行指示操作を行う様子を示す図である。
【図１２】実行指示操作が行われた後の表示画面の表示例を示す図である。
【図１３】ユーザが実行指示操作を行う様子を示す図である。
【図１４】実行指示操作が行われた後の表示画面の表示例を示す図である。
【図１５】ユーザが実行指示操作を行う様子を示す図である。
【図１６】実行指示操作が行われた後の表示画面の表示例を示す図である。
【図１７】ユーザが実行指示操作を行う様子を示す図である。
【図１８】実行指示操作が行われた後の表示画面の表示例を示す図である。
【図１９】ユーザが実行指示操作を行う様子を示す図である。
【図２０】実行指示操作が行われた後の表示画面の表示例を示す図である。
【図２１】ユーザが実行指示操作を行う様子を示す図である。
【図２２】実行指示操作が行われた後の表示画面の表示例を示す図である。
【図２３】実行指示操作が行われた後の表示画面の表示例を示す図である。
【図２４】実行指示操作の特定方法を説明するための図である。
【図２５】テーブル設定画面を示す図である。
【図２６】ユーザが実行指示操作と表示情報利用処理とを対応付ける様子を示す図である。
【図２７】テーブル設定画面を示す図である。
【図２８】ユーザが実行指示操作と表示情報利用処理とを対応付ける様子を示す図である。
【図２９】テーブル設定画面を示す図である。
【図３０】テーブル設定画面を示す図である。
【図３１】対応関係テーブルの一例を示す図である。
【図３２】対応関係テーブルの一例を図形化したものを示す図である。
【図３３】実行指示操作の特定方法を説明するための図である。
【図３４】実行指示操作の特定方法を説明するための図である。
【図３５】実行指示操作の特定方法を説明するための図である。
【図３６】表示画面の表示例を示す図である。
【図３７】対応関係テーブルの一例を示す図である。
【図３８】対応関係テーブルの一例を図形化したものを示す図である。
【図３９】ユーザが縦書きの文字列を選択する様子を示す図である。
【図４０】縦書きの文字列が選択された後の表示画面の表示例を示す図である。
【図４１】ユーザが実行指示操作を行う様子を示す図である。
【図４２】実行指示操作が行われた後の表示画面の表示例を示す図である。
【図４３】ユーザが実行指示操作を行う様子を示す図である。
【図４４】実行指示操作が行われた後の表示画面の表示例を示す図である。
【図４５】対応関係テーブルの一例を示す図である。
【図４６】対応関係テーブルの一例を図形化したものを示す図である。
【図４７】表示画面に対応関係テーブルが表示されている様子を示す図ある。
【図４８】表示画面に対応関係テーブルが表示されている様子を示す図ある。
【図４９】電子機器の表示例を示す図である。
【図５０】電子機器の表示例を示す図である。
【図５１】電子機器の表示例を示す図である。
【図５２】電子機器の表示例を示す図である。
【発明を実施するための形態】
【００１７】
図１〜４は、本実施の形態に係る電子機器１００の外観を示す斜視図である。電子機器１００は、一種のコンピュータであって、例えば、開閉可能な携帯電話機である。電子機器１００は、第１筐体１と第２筐体２とを備えている。図１は、閉じた状態（閉状態）の電子機器１００を第１筐体１側から見た場合の図であり、図２は、閉じた状態の電子機器１００を第２筐体２側から見た場合の図である。図３，４は、開いた状態（開状態）の電子機器１００を示している。
【００１８】
ここで、電子機器１００が閉じた状態とは、図１，２に示されるように、第１筐体１に設けられた第１表示部３ａの第１表示画面４ａが露出した状態で、第１筐体１と第２筐体２とが互いに重なるように配置された状態である。この場合、第１表示画面４ａと、第２筐体２に設けられた第２表示部３ｂの第２表示画面４ｂとは、間をあけて重なり合った状態となるので、両者の成す角度は０度と言うことができる。
【００１９】
一方で、電子機器１００が開いた状態とは、図３，４に示されるように、第１表示部３ａの第１表示画面４ａと、第２表示部３ｂの第２表示画面４ｂとが、同時に視認可能となるように、第１筐体１と第２筐体２とが重ならないように配置された状態である。図３に示される電子機器１００は、第１表示画面４ａ及び第２表示画面４ｂが１８０度を成すように、言い換えれば、同一平面上に位置するように開いている。図４に示される電子機器１００は、第１表示画面４ａ及び第２表示画面４ｂが０度よりも大きく１８０度よりも小さい角度を成すように開いている。
【００２０】
以後、図３に示されるように、第１表示画面４ａ及び第２表示画面４ｂが同一平面上に位置する状態を「フラット状態」と呼ぶ。また、図４に示されるように、第１表示画面４ａ及び第２表示画面４ｂが０度よりも大きく１８０度よりも小さい角度を成すように開いている状態を「チルト状態」と呼ぶ。
【００２１】
第１表示画面４ａは、タッチパネルであって、ユーザの当該第１表示画面４ａに対する画面操作を受け付ける。同様に、第２表示画面４ｂは、タッチパネルであって、ユーザの当該第２表示画面４ｂに対する画面操作を受け付ける。以後、第１表示部３ａ及び第２表示部３ｂを特に区別する必要がない場合には、それぞれを「表示部３」と呼び、それぞれの表示画面を「表示画面４」と呼ぶ。
【００２２】
第１筐体１と第２筐体２とは、ヒンジ部５及びアーム部６によって連結されている。ヒンジ部５は、第２筐体２に設けられている。アーム部６は、第２筐体２に対して角度変更可能となるようにヒンジ部５に接続されている。また、アーム部６は、第１筐体１に対して角度変更可能となるように当該第１筐体１に接続されている。電子機器１００では、ヒンジ部５及びアーム部６の働きによって、図１，２の閉状態から、図４のチルト状態に遷移することができ、図４のチルト状態から図３のフラット状態に遷移することができる。また、電子機器１００では、ヒンジ部５及びアーム部６の働きによって、図３のフラット状態から図４のチルト状態へ、図４のチルト状態から図１，２の閉状態へ遷移することが可能である。
【００２３】
第１筐体１には、第１表示部３ａ以外にも、音入力部７、第１音出力部８及び第１操作部１０が設けられている。また、第２筐体２には、第２表示部３ｂ以外にも、第２音出力部９、第２操作部１１、第３操作部１２、メモリカード挿入スロット１３及び充電端子１４が設けられている。
【００２４】
音入力部７はマイク及びアンプ等で構成されている。第１音出力部８及び第２音出力部９のそれぞれはスピーカ及びアンプ等で構成されている。第１音出力部８は通話用であって、その音量は、ユーザが第１音出力部８に耳を近づけることによって、当該第１音出力部８から出力される音が聞こえるような、比較的小さな音量となっている。一方で、第２音出力部９の音量は、電子機器１００を持つユーザが耳を第２音出力部９に近づけなくてもそこから出力される音が聞こえるような、比較的大きな音量となっている。
【００２５】
第１操作部１０は、ホームキー１０ａ、メニューキー１０ｂ及びバックキー１０ｃを備えている。これらの操作キーは、第１筐体１における、第１表示画面４ａ側の主面に設けられており、それぞれユーザの接触操作を受け付ける。ホームキー１０ａは、第１表示画面４ａに、ホーム画面（初期画面）を表示するための操作キーである。メニューキー１０ｂは、メニュー画面を表示するための操作キーである。バックキー１０ｃは、第１表示画面４ａの表示を一つ前の表示に戻すための操作キーである。
【００２６】
第２操作部１１は、第１操作部１０と同様に、ホームキー１１ａ、メニューキー１１ｂ及びバックキー１１ｃを備えている。これらのキーは、第２筐体２における、第２表示画面４ｂ側の主面に設けられており、それぞれユーザの接触操作を受け付ける。ホームキー１１ａ、メニューキー１１ｂ及びバックキー１１ｃの機能は、第１操作部１０のホームキー１０ａ、メニューキー１０ｂ及びバックキー１０ｃの機能と同様である。
【００２７】
第３操作部１２は、電源キー１２ａ及び調整キー１２ｂを備えている。電源キー１２ａは電子機器１００の電源をオンしたり、オフしたりするための操作キーである。調整キー１２ｂは、表示画面４の輝度を調整したり、第１音出力部８及び第２音出力部９の音量を調整したりするための操作キーである。これらの操作キーは、第２筐体２の側面に設けられており、ユーザの押下操作を受け付ける。
【００２８】
メモリカード挿入スロット１３には、カード状の記憶媒体であるメモリカードが挿入される。充電端子１４には、電子機器１００を充電するための充電器に接続されたケーブルが接続される。
【００２９】
＜電気的構成＞
図５は電子機器１００の電気的構成を示すブロック図である。図５に示されるように、電子機器１００は、上述の第１表示部３ａ及び第２表示部３ｂなどの構成要素以外にも、制御部２０、無線通信部２１、記憶部２２及び電池２３を備えている。
【００３０】
制御部２０は、ＣＰＵ（Central Processing Unit）及びＤＳＰ（Digital Signal Processor）などで構成されており、電子機器１００の他の構成要素を制御することによって、電子機器１００の動作を統括的に管理する。また、制御部２０は、第１表示部３ａ、第２表示部３ｂ、第１操作部１０、第２操作部１１及び第３操作部１２が受け付けたユーザ操作に応じて、各種動作を行う。
【００３１】
記憶部２２は、ＲＯＭ（Read Only Memory）及びＲＡＭ（Random Access Memory）等で構成されている。記憶部２２には、電子機器１００を制御するための制御プログラムであるメインプログラム２２０及び複数のアプリケーションプログラム２２１（図では１つのアプリケーションプログラム２２１だけを示している）等が記憶されている。制御部２０の各種機能は、制御部２０のＣＰＵ及びＤＳＰが記憶部２２内の各種プログラムを実行することによって実現される。また記憶部２２には、後述する対応関係テーブル２２２が記憶されている。この対応関係テーブル２２２は、後述する処理実行部２００での処理で使用される。
【００３２】
無線通信部２１は、電子機器１００とは別の携帯電話機や、インターネットに接続されたウェブサーバ等の通信装置からの信号を、基地局を通じてアンテナ２１ａで受信する。無線通信部２１は、受信信号に対して増幅処理やダウンコンバートを行って制御部２０に出力する。制御部２０は、入力された受信信号に対して復調処理等を行って、当該受信信号に含まれる、音声データ、画像データ等の各種データを取得する。また無線通信部２１は、制御部２０で生成された、音声データ等を含む送信信号に対してアップコンバートや増幅処理を行って、処理後の送信信号をアンテナ２１ａを通じて、電子機器１００とは別の携帯電話機や、インターネットに接続された通信装置に向けて無線送信する。
【００３３】
音入力部７は、外部から入力される音声などの音を音データに変換して制御部２０に出力する。第１音出力部８及び第２音出力部９のそれぞれは、制御部２０からの音声データや音楽データ等の音データを音に変換して外部に出力する。
【００３４】
第１表示部３ａと第２表示部３ｂとは同様の構成を有している。各表示部３は、例えば、カラー表示を行うバックライト方式の液晶表示部であって、液晶表示パネルと、それに光を照射するバックライトとを備えている。各表示部３は、制御部２０による制御によって、その表示画面４に文字、記号、図形などの各種情報を表示する。なお、表示部３は、液晶表示部以外の表示部であっても良い。例えば、表示部３は、有機ＥＬディスプレイであっても良いし、複数のＬＥＤがマトリックス状に配列された表示部であっても良い。
【００３５】
電池２３は、電子機器１００の電源を生成する。電池２３で生成された電源は、電子機器１００が備える制御部２０及び無線通信部２１などに含まれる各電子部品に対して供給される。
【００３６】
記憶部２２には様々なアプリケーションプログラム２２１（以後、単に「アプリケーション２２１」と呼ぶ）が記憶されている。記憶部２２には、例えば、音声通信を行うための通話アプリケーション、ウェブサイトを表示するためのブラウザ、電子メールの作成・閲覧・送受信を行うためのメールアプリケーション、電子書籍を閲覧するための電子書籍閲覧アプリケーションなどが記憶されている。
【００３７】
制御部２０のＣＰＵあるいはＤＳＰが、記憶部２２内のアプリケーション２２１を読み出して実行すると、当該アプリケーション２２１が電子機器１００内で起動する。アプリケーション２２１を実行している制御部２０が、無線通信部２１及び表示部３等の、電子機器１００内の他の構成要素を制御することによって、当該アプリケーション２２１に対応する機能（音声通信を行う機能、ウェブサイトを表示する機能など）が電子機器１００で実行される。
【００３８】
次に制御部２０が有する複数の機能ブロックについて説明する。図６は当該複数の機能ブロックを示す図である。制御部２０のＣＰＵが記憶部２２内のメインプログラム２２０を実行することによって、制御部２０には、図６に示されるように、処理実行部２００、画面操作特定部２１０及びキー操作特定部２１１などの機能ブロックが形成される。
【００３９】
画面操作特定部２１０は、第１表示画面４ａが受け付けた画面操作の内容を特定する。例えば、画面操作特定部２１０は、第１表示画面４ａに対して行われた画面操作が、第１表示画面４ａのある部分を指で押す操作であることを特定したり、第１表示画面４ａに対して指が接触した状態である部分から別の部分まで移動する操作であることを特定したりする。同様にして、画面操作特定部２１０は、第２表示画面４ｂが受け付けた画面操作の内容を特定する。
【００４０】
キー操作特定部２１１は、第１操作部１０が備える複数の操作キーのうちどの操作キーが操作されたかを特定する。また、キー操作特定部２１１は、第２操作部１１が備える複数の操作キーのうちどの操作キーが操作されたかを特定する。そして、キー操作特定部２１１は、第３操作部１２が備える複数の操作キーのうちどの操作キーが操作されたかを特定する。
【００４１】
処理実行部２００は、画面操作特定部２１０で特定された画面操作に応じた処理を実行するとともに、キー操作特定部２１１において特定されたキー操作に応じた処理を行う。処理実行部２００は、アプリケーション実行部２０１、通信制御部２０２、音出力制御部２０３及び表示制御部２０４などを備えている。
【００４２】
アプリケーション実行部２０１は、記憶部２２内のアプリケーション２２１を実行する。具体的には、アプリケーション実行部２０１は、画面操作特定部２１０が、表示画面４に対して、あるアプリケーション２２１の実行を指示する画面操作が行われたことを特定すると、記憶部２２内の当該アプリケーション２２１を実行する。本実施の形態では、表示画面４に表示されるホーム画面には、アプリケーション２２１に対応するアイコンが示され、当該アイコンがユーザによって操作されると、当該アイコンに対応するアプリケーション２２１が実行される。このアイコンに対する操作が、表示画面４に対する、アプリケーション２２１の実行を指示する画面操作である。
【００４３】
音出力制御部２０３は第１音出力部８の音出力を制御する。音出力制御部２０３は、第１音出力部８に対して音データを出力して当該第１音出力部８に音を外部に出力させる。また、音出力制御部２０３は、第１音出力部８に対する音データの出力を停止して、当該第１音出力部８が音を外部に出力することを停止する。また、音出力制御部２０３は、第１音出力部８の音量を制御することが可能である。同様にして、音出力制御部２０３は第２音出力部９の音出力も制御する。
【００４４】
表示制御部２０４は、第１表示部３ａ及び第２表示部３ｂの表示を制御する。第１表示部３ａは、表示制御部２０４による制御によって、第１表示画面４ａに文字等の情報を表示する。同様に、第２表示部３ｂは、表示制御部２０４による制御によって、第２表示画面４ｂに文字等の情報を表示する。
【００４５】
通信制御部２０２は、無線通信部２１を制御して、通信相手先と様々な通信を行う。例えば、通信制御部２０２は、通信相手の携帯電話機と、音声通信や電子メール通信を行う。音声通信を行う際には、通信制御部２０２は、音入力部７から入力される音声データを含む送信信号を生成し、当該送信信号を無線通信部２１を通じて通信相手の携帯電話機に対して送信する。また、通信制御部２０２は、無線通信部２１が受信した信号から音声データを取得して、当該音声データを第１音出力部８に出力する。また、通信制御部２０２はウェブサーバとデータ通信を行う。通信制御部２０２がウェブサーバから無線通信部２１を通じて受信したウェブページは、表示制御部２０４の表示部３に対する制御により、当該表示部３の表示画面４に表示される。
【００４６】
＜対応関係テーブルを用いた処理について＞
次に、処理実行部２００での対応関係テーブル２２２を用いた処理について説明する。図７は対応関係テーブル２２２の一例を示す図である。対応関係テーブル２２２は、表示画面４に表示されている情報を用いた処理と、当該処理の実行を指示する、表示画面４に対する画面操作とが対応付けられて登録された対応関係情報である。以後、表示画面４に表示されている情報、例えば、文字、記号、図形あるいは画像を用いた処理を「表示情報利用処理」と呼ぶ。また、表示情報利用処理の実行を指示する、表示画面４に対する画面操作を「実行指示操作」と呼ぶ。対応関係テーブル２２２では、複数の表示情報利用処理のそれぞれに対して、当該表示情報利用処理の実行を指示する実行指示操作が対応付けられている。
【００４７】
処理実行部２００は、画面操作特定部２１０において、表示画面４に表示される情報を選択する画面操作が当該表示画面４に対して行われた後に、当該画面操作に続いて、表示画面４に対して実行指示操作が行われたことが特定されると、対応関係テーブル２２２において当該実行指示操作に対応付けられている表示情報利用処理を、当該画面操作によって選択された情報を用いて実行する。
【００４８】
以後、表示画面４に表示される情報を選択する、当該表示画面４に対する画面操作を「表示情報選択操作」と呼ぶ。また、表示情報選択操作によって選択された情報を「選択情報」と呼ぶ。表示情報選択操作としては、例えば、表示画面４において選択対象の情報が表示されている領域を画面操作手段でなぞり、その後、当該画面操作手段を当該表示画面４から離す操作が採用される。画面操作特定部２１０は、表示画面４において選択対象の情報が表示されている領域が画面操作手段でなぞられ、その後、当該画面操作手段が当該表示画面４から離れた時点で、表示情報選択操作が完了したと判断する。画面操作手段としては、ユーザの指あるいはユーザが所持するペン状部材などが挙げられる。
【００４９】
本実施の形態では、実行指示操作として、例えば、表示画面４に表示されている選択情報から所定方向に向かうスライド操作が採用されている。つまり、本実施の形態では、ユーザが、表示画面４に対して画面操作手段を接触させた状態で、当該画面操作手段を当該表示画面４に表示されている選択情報から所定方向に向かって移動する操作が、実行指示操作として採用されている。
【００５０】
対応関係テーブル２２２には、実行指示操作として、選択情報から向かう方向が互いに異なる複数種類のスライド操作が登録されている。図７の例では、対応関係テーブル２２２には、右上スライド操作、真上スライド操作、左上スライド操作、左下スライド操作、真下スライド操作及び右下スライド操作が登録されている。
【００５１】
ここで、「右上スライド操作」とは、表示画面４を見ているユーザが、画面操作手段を、選択情報から、当該ユーザにとっての右上方向に向かってスライドさせる操作である。「真上スライド操作」とは、表示画面４を見ているユーザが、画面操作手段を、選択情報から、当該ユーザにとっての真上方向に向かってスライドさせる操作である。「左上スライド操作」とは、表示画面４を見ているユーザが、画面操作手段を、選択情報から、当該ユーザにとっての左上方向に向かってスライドさせる操作である。「左下スライド操作」とは、表示画面４を見ているユーザが、画面操作手段を、選択情報から、当該ユーザにとっての左下方向に向かってスライドさせる操作である。「真下スライド操作」とは、表示画面４を見ているユーザが、画面操作手段を、選択情報から、当該ユーザにとっての真下方向に向かってスライドさせる操作である。そして、「右下スライド操作」とは、表示画面４を見ているユーザが、画面操作手段を、選択情報から、当該ユーザにとっての右下方向に向かってスライドさせる操作である。以後、右方向、左方向などの方向については、表示画面４を見ているユーザによっての方向を意味するものとする。
【００５２】
図７の例では、対応関係テーブル２２２においては、右上スライド操作に対して、選択情報をコピーする処理が対応付けられており、真上スライド操作に対して、選択情報を、当該選択情報が示されている文書内で検索する文書内検索が対応付けられている。また、対応関係テーブル２２２においては、左上スライド操作に対して、選択情報を検索サイトを利用してインターネット上で検索するネット検索が対応付けられており、左下スライド操作に対して、選択情報を辞書登録する処理が対応付けられている。そして、対応関係テーブル２２２においては、真下スライド操作に対して、選択情報を翻訳する処理（例えば英語に翻訳する処理）が対応付けられており、右下スライド操作に対して、選択情報を当該選択情報が示される文書から切り取る処理が対応付けられている。
【００５３】
図８は、図７に示される対応関係テーブル２２２での実行指示操作と表示情報利用処理との対応関係を視覚的に分かりやすくするために、当該対応関係テーブル２２２を円２３０を用いて図形化したものである。円２３０の中心点２３０ａは、表示画面４上での選択情報の位置を示している。
【００５４】
図８に示されるように、円２３０は、中心点２３０ａを基準にして上下に２分割されており、上側の半円と下側の半円のそれぞれが、３つの扇形領域２３０ｂに区分されている。そして、中心点２３０ａ（選択情報の位置）から右上方向の扇形領域２３０ｂには「コピー」の文字列が示されている。これにより、右上スライド操作に対しては、選択情報をコピーする処理が対応付けられていることが理解できる。
【００５５】
中心点２３０ａ（選択情報の位置）から真上方向の扇形領域２３０ｂには「文書内検索」の文字列が示されている。これにより、真上スライド操作に対しては、選択情報を、当該選択情報が示されている文書内で検索する文書内検索が対応付けられていることが理解できる。
【００５６】
中心点２３０ａ（選択情報の位置）から左上方向の扇形領域２３０ｂには「ネット検索」の文字列が示されている。これにより、左上スライド操作に対しては、選択情報を検索サイトを利用してインターネット上で検索するネット検索が対応付けられていることが理解できる。
【００５７】
中心点２３０ａ（選択情報の位置）から左下方向の扇形領域２３０ｂには「辞書登録」の文字列が示されている。これにより、左下スライド操作に対しては、選択情報を辞書登録する処理が対応付けられていることが理解できる。
【００５８】
中心点２３０ａ（選択情報の位置）から真下方向の扇形領域２３０ｂには「翻訳」の文字列が示されている。これにより、真下スライド操作に対しては、選択情報を翻訳する処理が対応付けられていることが理解できる。
【００５９】
そして、中心点２３０ａ（選択情報の位置）から右下方向の扇形領域２３０ｂには「切り取り」の文字列が示されている。これにより、右下スライド操作に対しては、選択情報を当該選択情報が示される文書から切り取る処理が対応付けられていることが理解できる。
【００６０】
なお、表示画面４に表示されている情報の選択解除は、例えば、表示画面４において当該情報が表示されている領域以外の領域に対してタップ操作が行われると実行される。つまり、処理実行部２００は、画面操作特定部２１０において、表示情報選択操作が行われた後に、表示画面４において選択情報が表示されている領域以外の領域に対してタップ操作が行われたことが特定されると、当該表示情報選択操作によって選択された情報の選択を解除する。タップ操作とは、画面操作手段が、表示画面に対して接触してから、その接触箇所が変化せずに離れるまでの操作である。表示画面４に表示されている情報の選択が解除されている状態において、実行指示操作が表示画面４に対して行われたとしても、当該実行指示操作に対応する表示情報利用処理は行われない。
【００６１】
次に、表示画面４に対して表示情報選択操作が行われてから、当該表示情報選択操作によって選択された情報を用いた表示情報利用処理が実行されるまでの電子機器１００での一連の動作について説明する。以下では、アプリケーション実行部２０１において、ウェブブラウザ、メールアプリケーションあるいは電子書籍閲覧アプリケーションなどが実行されている場合に表示画面４（第１表示画面４ａあるいは第２表示画面４ｂ）に表示される文字列がユーザによって選択される場合についての電子機器１００の動作について説明する。以後、説明の対象となる表示画面４を「対象表示画面４」と呼ぶことがある。
【００６２】
図９に示されるように、ユーザが、自身の指２５０によって、対象表示画面４における、選択対象の文字列が表示されている領域を右方向になぞり、その後、指２５０を対象表示画面４から離すと、画面操作特定部２１０では、当該文字列を選択する表示情報選択操作が対象表示画面４に対して行われたことが特定される。そうすると、処理実行部２００では、表示制御部２０４が、対象表示画面４を有する表示部３を制御して、図１０に示されるように、対象表示画面４において、選択情報である選択された文字列２６０（以後、「選択文字列２６０」と呼ぶ）をハイライト表示（強調表示）する。
【００６３】
ユーザが、表示情報選択操作に続いて、図１１に示されるように、自身の指２５０を対象表示画面４に接触させた状態で、選択文字列２６０から右上方向にスライドさせると、画面操作特定部２１０では、対象表示画面４に対して、表示情報選択操作に続いて右上スライド操作が行われたことが特定される。そうすると、処理実行部２００は、対応関係テーブル２２２を参照して、右上スライド操作に対応する表示情報利用処理を選択文字列２６０を用いて実行する。具体的には、処理実行部２００は、選択文字列２６０をコピーして、記憶部２２に記憶する。
【００６４】
処理実行部２００では、表示情報利用処理が完了すると、対象表示画面４を有する表示部３が、表示制御部２０４による制御によって、図１２に示されるように、表示情報利用処理が完了したことを示す処理完了通知情報２７０、ここでは、選択文字列２６０のコピーが完了したことを示す処理完了通知情報２７０を対象表示画面４に表示する。対象表示画面４を有する表示部３は、対象表示画面４において、処理完了通知情報２７０が一定時間表示されると、当該処理完了通知情報２７０の表示を消去する。これにより、処理完了通知情報２７０は一定時間表示された後に、自動的に消去される。
【００６５】
図１３は、ユーザが、対象表示画面４に対して、表示情報選択操作に続いて、右下スライド操作を行う様子を示す図である。図１３に示されるように、ユーザが、表示情報選択操作に続いて、自身の指２５０を対象表示画面４に接触させた状態で、選択文字列２６０から右下方向にスライドさせると、画面操作特定部２１０では、対象表示画面４に対して、表示情報選択操作に続いて右下スライド操作が行われたことが特定される。そうすると、処理実行部２００は、対応関係テーブル２２２を参照して、右下スライド操作に対応する切り出し処理を選択文字列２６０を用いて実行する。具体的には、処理実行部２００は、選択文字列２６０を、当該選択文字列２６０を示す文書から切り取る。
【００６６】
処理実行部２００では、切り出し処理が完了すると、対象表示画面４を有する表示部３が、表示制御部２０４による制御によって、図１４に示されるように、対象表示画面４において、切り出し処理が完了したことを示す処理完了通知情報２７０を対象表示画面４に表示する。この処理完了通知情報２７０は、一定時間表示された後に、自動的に消去される。
【００６７】
図１５は、ユーザが、対象表示画面４に対して、表示情報選択操作に続いて、真下スライド操作を行う様子を示す図である。図１５に示されるように、ユーザが、表示情報選択操作に続いて、自身の指２５０を対象表示画面４に接触させた状態で、選択文字列２６０から真下方向にスライドさせると、画面操作特定部２１０では、対象表示画面４に対して、表示情報選択操作に続いて真下スライド操作が行われたことが特定される。そうすると、処理実行部２００は、対応関係テーブル２２２を参照して、真下スライド操作に対応する翻訳処理を選択文字列２６０を用いて実行する。具体的には、処理実行部２００は、選択文字列２６０を英語に翻訳する。
【００６８】
処理実行部２００では、翻訳処理が完了すると、対象表示画面４を有する表示部３が、表示制御部２０４による制御によって、図１６に示されるように、表示情報利用処理の処理結果を示す処理結果通知情報２８０、ここでは、選択文字列２６０の翻訳結果（選択文字列２６０の英語訳）を示す処理結果通知情報２８０を対象表示画面４に表示する。
【００６９】
ここで、処理結果通知情報２８０が、処理完了通知情報２７０と同様にして、一定時間表示された後に自動的に消去されると、ユーザは、電子機器１００に実行させた表示情報利用処理の処理結果を十分に確認できない可能性がある。そこで、本実施の形態では、処理結果通知情報２８０の表示をユーザの意志によって消去できるようにしている。具体的には、図１６に示されるように、対象表示画面４には、処理結果通知情報２８０とともに、その表示を消去するための表示消去ボタン２８０ａが表示されている。画面操作特定部２１０において、表示消去ボタン２８０ａがユーザによって操作されたことが特定されると、対象表示画面４を有する表示部３は、表示制御部２０４の制御によって、処理結果通知情報２８０の表示を消去する。
【００７０】
なお、表示消去ボタン２８０ａを設ける代わりに、ユーザが、表示画面４において、選択文字列２６０が表示されている領域及び処理結果通知情報２８０が表示されている領域を除く領域に対してタップ操作を行うと、当該処理結果通知情報２８０の表示を消去しても良い。
【００７１】
図１７は、ユーザが、対象表示画面４に対して、表示情報選択操作に続いて、真上スライド操作を行う様子を示す図である。図１７に示されるように、ユーザが、表示情報選択操作に続いて、自身の指２５０を対象表示画面４に接触させた状態で、選択文字列２６０から真上方向にスライドさせると、画面操作特定部２１０では、対象表示画面４に対して、表示情報選択操作に続いて真上スライド操作が行われたことが特定される。そうすると、処理実行部２００は、対応関係テーブル２２２を参照して、真上スライド操作に対応する文書内検索を選択文字列２６０を用いて実行する。具体的には、処理実行部２００は、選択文字列２６０を、当該選択文字列２６０を示す文書内において検索する。
【００７２】
処理実行部２００では、文書内検索が完了すると、対象表示画面４を有する表示部３が、表示制御部２０４による制御によって、図１８に示されるように、対象表示画面４において、文書内検索が完了したことを示す処理完了通知情報２７０を対象表示画面４に表示する。処理完了通知情報２７０は、一定時間表示された後に、自動的に消去される。
【００７３】
さらに、対象表示画面４には、選択文字列２６０の文書内検索の結果が示される。具体的には、図１８に示されるように、選択文字列２６０を含む文書において、選択文字列２６０と一致する文字列２９０がハイライト表示される。このとき、選択文字列２６０と、それに一致する文字列２９０とを、異なる態様でハイライト表示しても良い。
【００７４】
図１９は、ユーザが、対象表示画面４に対して、表示情報選択操作に続いて、左上スライド操作を行う様子を示す図である。図１９に示されるように、ユーザが、表示情報選択操作に続いて、自身の指２５０を対象表示画面４に接触させた状態で、選択文字列２６０から左上方向にスライドさせると、画面操作特定部２１０では、対象表示画面４に対して、表示情報選択操作に続いて左上スライド操作が行われたことが特定される。そうすると、処理実行部２００は、対応関係テーブル２２２を参照して、左上スライド操作に対応するネット検索を選択文字列２６０を用いて実行する。具体的には、処理実行部２００は、選択文字列２６０を検索サイトを利用してインターネット上で検索する。
【００７５】
処理実行部２００では、ネット検索が完了すると、対象表示画面４を有する表示部３が、表示制御部２０４による制御によって、図２０に示されるように、ネット検索の処理結果を示す処理結果通知情報２８０を対象表示画面４に表示する。図２０の例では、処理結果通知情報２８０として、検索キーワードとして選択文字列２６０が入力された際の検索結果を示す検索サイトのサムネイルが表示されている。この処理結果通知情報２８０については、図１６の例と同様に、画面操作特定部２１０において、表示消去ボタン２８０ａがユーザによって操作されたことが特定されると対象表示画面４から消去される。この場合であっても、表示消去ボタン２８０ａを設ける代わりに、ユーザが、表示画面４において、選択文字列２６０が表示されている領域及び処理結果通知情報２８０が表示されている領域を除く領域に対してタップ操作を行うと、当該処理結果通知情報２８０の表示を消去しても良い。
【００７６】
なお、処理結果通知情報２８０として、ウェブブラウザを利用して、検索キーワードとして選択文字列２６０が入力された際の検索結果を示す検索サイトをそのまま表示画面４に表示しても良い。
【００７７】
また、ネット検索において使用する検索サイトが画像検索サイトである場合には、処理結果通知情報２８０として、当該画像検索サイトにおいて、検索キーワードとして選択文字列２６０が入力された際の検索結果として得られる画像のサムネイルを表示しても良い。
【００７８】
図２１は、ユーザが、対象表示画面４に対して、表示情報選択操作に続いて、左下スライド操作を行う様子を示す図である。図２１に示されるように、ユーザが、表示情報選択操作に続いて、自身の指２５０を対象表示画面４に接触させた状態で、選択文字列２６０から左下方向にスライドさせると、画面操作特定部２１０では、対象表示画面４に対して、表示情報選択操作に続いて左下スライド操作が行われたことが特定される。そうすると、処理実行部２００は、対応関係テーブル２２２を参照して、左下スライド操作に対応する辞書登録処理を選択文字列２６０を用いて実行する。具体的には、処理実行部２００は、選択文字列２６０を、記憶部２２に記憶されている辞書データベースに登録する。
【００７９】
処理実行部２００では、辞書登録処理が完了すると、対象表示画面４を有する表示部３が、表示制御部２０４による制御によって、図２２に示されるように、対象表示画面４において、辞書登録処理が完了したことを示す処理完了通知情報２７０を対象表示画面４に表示する。処理完了通知情報２７０は、一定時間表示された後に、自動的に消去される。
【００８０】
なお、上記の例では、選択情報が文字である場合での電子機器１００の動作について説明したが、選択情報が記号である場合、選択情報が図形である場合、選択情報が画像である場合であっても、電子機器１００は同様にして選択情報を用いて表示情報利用処理を行う。
【００８１】
ただし、選択情報が図形あるいは画像である場合には、選択情報を辞書登録したり、選択情報を翻訳することはできないことから、本実施の形態では、このような場合には、表示画面４に対する左下スライド操作と真下スライド操作は無効となっている。具体的には、選択情報が図形あるいは画像である場合には、画面操作特定部２１０において、表示画面４に対して左下スライド操作が行われたことが特定されても、処理実行部２００は、当該左下スライド操作に対応する表示情報利用処理を行わない。また、選択情報が図形あるいは画像である場合には、画面操作特定部２１０において、表示画面４に対して真下スライド操作が行われたことが特定されても、処理実行部２００は、当該真下スライド操作に対応する表示情報利用処理を行わない。
【００８２】
また、ウェブサイトや電子書籍に示されている文字等の情報については、切り取り処理が禁止されている場合もある。また、文書ファイルを作成するアプリケーションの種類によっては、当該アプリケーションを用いて作成した文書内の文字等のコピー等を禁止することができる機能が存在し、表示情報選択操作によって選択された情報のコピー等ができないことがある。
【００８３】
本実施の形態では、表示情報選択操作に続けて実行指示操作が行われた場合において、当該表示情報選択操作によって選択された情報を用いて、当該実行指示操作に対応する表示情報利用処理を行うことが禁止されている際には、処理実行部２００では、当該表示情報利用処理は実行されない。このとき、図２３に示されるように、実行指示操作が行われた後、それに対応する表示情報利用処理を行うことができないことを通知する実行不可通知情報３００を表示画面４に表示しても良い。なお、上記のように、選択情報が図形あるいは画像である場合に、表示画面４に対して左下スライド操作あるいは真下スライド操作が行われた場合にも同様に、当該表示画面４に実行不可通知情報３００を表示しても良い。
【００８４】
＜実行指示操作の特定方法の詳細について＞
本実施の形態では、画面操作特定部２１０は、表示画面４に対してスライド操作が行われると直ちに表示画面４に対して実行指示操作が行われたと特定するのではなく、表示画面４に対して所定距離以上スライド操作が行われると、表示画面４に対して実行指示操作が行われたと特定するようになっている。つまり、本実施の形態に係る実行指示操作は、単なるスライド操作ではなく、所定距離以上のスライド操作となっている。これにより、ユーザが意図しない操作を行ったとしたとしても、所定距離以上のスライド操作でなければ反応することがないことから、操作性が向上する。以下に、画面操作特定部２１０での実行指示操作の特定方法について図２４を用いて詳細に説明する。図２４は画面操作特定部２１０の動作を説明するための図である。
【００８５】
ユーザは、表示情報選択操作を行った後、実行指示操作を行うために、まず、表示画面４において選択情報（図２４の例では選択文字列２６０）が表示されている領域３１０に対して画面操作手段（指あるいはペン状部材など）を接触させる。画面操作特定部２１０は、この画面操作手段の接触点を中心点３２０とした所定半径の円３３０を考える。そして、画面操作特定部２１０は、円３３０を中心点３２０を基準にして上下に２分割し、それによって得られる上側の半円と下側の半円のそれぞれを３つの扇形領域３３０ａに区分する。画面操作特定部２１０は、表示画面４での画面操作手段の接触点が中心点３２０から移動すると、その接触点が移動する扇形領域３３０ａを特定することによって、当該画面操作手段のスライド方向、つまり、実行指示操作として、どの方向へのスライド操作が行われているかを特定する。例えば、画面操作特定部２１０は、表示画面４での画面操作手段の接触点が、中心点３２０の右上の扇形領域３３０ａを移動している場合には、実行指示操作として、選択情報から右上方向に向かうスライド操作（右上スライド操作）が行われていると判定する。そして、画面操作特定部２１０は、図２４の矢印３５０に示されるように、表示画面４での画面操作手段の接触点が扇形領域３３０ａを通って円３３０の外側まで移動すると、表示画面４に対して実行指示操作が行われた（完了した）と判定する。このとき、画面操作特定部２１０は、表示画面４での画面操作手段の接触点が円３３０の外側まで移動して、当該画面操作手段が当該表示画面４から離れたときに、当該表示画面４に対して実行指示操作が行われたと判定しても良い。つまり、画面操作手段が表示画面４から離れるまでをスライド操作に含めても良い。処理実行部２００では、画面操作特定部２１０において特定された実行指示操作に応じた表示情報利用処理が行われる。
【００８６】
一方で、画面操作特定部２１０は、図２４の矢印３６０に示されるように、表示画面４での画面操作手段の接触点が円３３０の外側まで移動せずに、当該画面操作手段が表示画面４から離れたときには、表示画面４に対して実行指示操作が行われなかった（完了しなかった）と判定する。この場合には、処理実行部２００では、選択情報を使用した表示情報利用処理は行われない。
【００８７】
なお、表示画面４での画面操作手段の接触点が円３３０の外側まで移動せずに、当該画面操作手段が表示画面４から離れた場合には、選択情報の選択を解除しても良いし、選択情報の選択を維持しても良い。選択情報の選択が解除される場合には、ユーザは、あらためて表示情報選択操作を行って上で、実行指示操作を行うことになる。一方で、選択情報の選択が維持される場合には、ユーザは、あらためて表示情報選択操作を行うことなく、実行指示操作を行うことができる。
【００８８】
＜実行指示操作と表示情報利用処理との対応関係の設定方法について＞
本実施の形態では、上述の対応関係テーブル２２２での実行指示操作と表示情報利用処理との対応関係をユーザが設定することが可能となっている。以下に、実行指示操作と表示情報利用処理との対応関係の設定方法について説明する。
【００８９】
図２５は、対応関係テーブルでの実行指示操作と表示情報利用処理との対応関係を設定する際に使用されるテーブル設定画面４００が表示画面４に表示されている様子を示す図である。メニューキー１０ｂあるいはメニューキー１１ｂが操作されると、第１筐体１及び第２筐体２のうち、操作されたメニューキーが設けられた筐体から露出する表示画面４にメニュー画面が表示される。このメニュー画面には、電子機器１００に対して各種設定を行うための設定ボタンが表示される。ユーザが設定ボタンを操作すると、表示画面４には設定項目ごとの設定項目ボタンが表示される。この設定項目ボタンの中に、実行指示操作と表示情報利用処理との対応関係を設定するための設定項目ボタンが含まれており、ユーザがこの設定項目ボタンを操作すると、図２５に示されるテーブル設定画面４００が表示画面４に表示される。
【００９０】
図２５に示されるように、テーブル設定画面４００では、右側に対応関係テーブル２２２に登録することが可能な複数の表示情報利用処理の名称が示されており、左側に円４１０が示されている。円４１０においては、上側の半円と下側の半円のそれぞれが３つの扇形領域４１０ａに区分されている。円４１０を構成する６つの扇形領域４１０ａは、対応関係テーブル２２２に登録することが可能な６種類の実行指示操作、本例では６種類のスライド操作にそれぞれ対応している。具体的には、円４１０の中心点４１０ｂから見て右上、真上及び左上に位置する扇形領域４１０ａは、それぞれ、右上スライド操作、真上スライド操作及び左上スライド操作にそれぞれ対応している。そして、円４１０の中心点４１０ｂから見て左下、真下及び右下に位置する扇形領域４１０ａは、それぞれ、左下スライド操作、真下スライド操作及び右下スライド操作にそれぞれ対応している。
【００９１】
ユーザは、ある表示情報利用処理を、ある実行指示操作に対応付けようとする際には、テーブル設定画面４００において、当該表示情報利用処理の名称が示されている領域に対して画面操作手段を接触させて、その後、当該画面操作手段を、当該実行指示操作に対応する扇形領域４１０ａまでスライドさせる。処理実行部２００は、画面操作特定部２１０においてこのようなスライド操作が特定されると、対応関係テーブル２２２に対して、当該表示情報利用処理と当該実行指示操作とを対応付けて登録する。
【００９２】
図２６は、ユーザが自身の指２５０を使用して「コピー」と「右上スライド操作」とを対応付けようとしている様子を示す図である。図２６に示されるように、ユーザが、テーブル設定画面４００において「コピー」という文字列が示される領域４６０ａに対して指２５０を接触させて、その後、当該指２５０を、「右上スライド操作」に対応する扇形領域４１０ａまでスライドさせると、対応関係テーブル２２２に対して、「コピー」と「右上スライド操作」とが対応付けられて登録される。そうすると、図２７に示されるように、「右上スライド操作」に対応する扇形領域４１０ａには、「コピー」という文字列が示されるようになる。
【００９３】
その後、図２８に示されるように、ユーザが、テーブル設定画面４００において「文書内検索」という文字列が示される領域４６０ｂに対して指２５０を接触させて、その後、当該指２５０を、「真上スライド操作」に対応する扇形領域４１０ａまでスライドさせると、対応関係テーブル２２２に対して、「文書内検索」と「真上スライド操作」とが対応付けられて登録される。そうすると、図２９に示されるように、「真上スライド操作」に対応する扇形領域４１０ａには、「文書内検索」という文字列が示されるようになる。
【００９４】
その後、同様にして、「ネット検索」と「左上スライド操作」とが対応付けられ、「辞書登録」と「左下スライド操作」とが対応付けられ、「翻訳」と「真下スライド操作」とが対応付けられ、「切り取り」と「右下スライド操作」とが対応付けられると、テーブル設定画面４００の表示は図３０のようになる。これにより、上述の図７に示されるよう対応関係テーブル２２２が生成される。
【００９５】
以上のように、本実施の形態に係る電子機器１００では、表示画面４に対して、表示情報選択操作に続けて実行指示操作が行われると、対応関係テーブル２２２において当該実行指示操作に対応付けられている表示情報利用処理が、選択情報を用いて実行される。したがって、ユーザは、表示画面４に表示されている情報を選択した後に、当該表示画面４に対する簡単な操作で、当該情報を使用した所望の表示情報利用処理を電子機器１００に実行させることができる。よって、電子機器１００の操作性が向上する。
【００９６】
これに対して、ユーザがマウスを利用してパーソナルコンピュータにコピー等の処理を行うように指示を与える場合には、ユーザは、マウスを使用して表示画面に表示される情報を選択する操作を行った後に、マウスに対して右クリックを行って、パーソナルコンピュータに実行させたい処理を選択するためのコンテキストメニューを表示させる必要がある。そして、ユーザは、表示されたコンテキストメニューから、パーソナルコンピュータに実行させたい処理を選択することになる。つまり、この場合には、ユーザは、表示画面に表示される情報を選択する操作を行った後に、パーソナルコンピュータに実行させたい処理を選択するためのコンテキストメニューを表示する操作を行う必要がある。
【００９７】
本実施の形態では、ユーザは、表示画面４に表示されている情報を選択した後には実行指示操作を行うだけで表示情報利用処理を電子機器１００に実行させることができることから、コンテキストメニューを表示する操作を行うことなく所望の処理を電子機器１００に実行させることができる。
【００９８】
また、本実施の形態では、実行指示操作としてスライド操作が採用されているため、ユーザは簡単な操作によって表示情報利用処理の実行を電子機器１００に対して指示することができる。
【００９９】
また、本実施の形態では、対応関係テーブル２２２には、向かう方向が互いに異なる複数種類のスライド操作が登録されているため、ユーザは、スライド操作の方向を変えるだけで、電子機器１００に実行させる情報表示利用処理を変更することができる。よって、電子機器１００の操作性がさらに向上する。
【０１００】
＜各種変形例＞
＜第１変形例＞
上記の例では、実行指示操作としてスライド操作を採用したが、他の画面操作を採用しても良い。例えば、フリック操作を実行指示操作として採用しても良い。ここで、フリック操作とは、画面操作手段が表示画面に対して接触してから離れるまでの時間が所定時間内であって、かつ画面操作手段が表示画面に対して接触してから離れるまで所定距離以上移動する操作である。
【０１０１】
実行指示操作としてフリック操作が採用される場合には、対応関係テーブル２２２に対して、右上スライド操作、真上スライド操作、左上スライド操作、左下スライド操作、真下スライド操作及び右下スライド操作の代わりに、右上方向へのフリック操作、真上方向へのフリック操作、左上方向へのフリック操作、左下方向へのフリック操作、真下方向へのフリック操作及び右下方向へのフリック操作がそれぞれ登録される。
【０１０２】
このように、実行指示操作としてフリック操作を採用する場合にも、ユーザは簡単な操作によって表示情報利用処理の実行を電子機器１００に対して指示することができる。
【０１０３】
また、対応関係テーブル２２２に対して、向かう方向が互いに異なる複数種類のフリック操作を登録することによって、ユーザは、フリック操作の方向を変えるだけで、電子機器１００に実行させる情報表示利用処理を変更することができる。よって、電子機器１００の操作性がさらに向上する。
【０１０４】
＜第２変形例＞
上記の例では、対応関係テーブル２２２に対して、６つの表示情報利用処理を登録したが、６つよりも少ない数の表示情報利用処理を登録しても良いし、６つよりも多い数の表示情報利用処理を登録しても良い。
【０１０５】
また、表示情報利用処理については、図７に示される処理以外の処理を対応関係テーブル２２２に登録しても良い。例えば、選択情報をフランス語に翻訳する処理あるいは選択情報を韓国語に翻訳する処理などを対応関係テーブル２２２に登録しても良い。
【０１０６】
図３１は、対応関係テーブル２２２において、「コピー」と「翻訳」の２つの表示情報利用処理だけが登録されている様子を示す図である。図３１に示される対応関係テーブル２２２では、「コピー」と「上スライド操作」とが対応付けられており、「翻訳」と「下スライド操作」とが対応付けられている。ここで、「上スライド操作」とは、ユーザが画面操作手段を選択情報から上方向に向かってスライドさせる操作である。また「下スライド操作」とは、ユーザが画面操作手段を選択情報から下方向に向かってスライドさせる操作である。
【０１０７】
図３２は、上述の図８と同様に、図３１に示される対応関係テーブル２２２での実行指示操作と表示情報利用処理との対応関係を視覚的に分かりやすくするために、当該対応関係テーブル２２２を円５００を用いて図形化したものである。円５００の中心点５００ａは、表示画面４上での選択情報の位置を示している。
【０１０８】
図３２に示されるように、円５００は中心点５００ａを基準にして上下に２分割されており、中心点５００ａ（選択情報の位置）の上側の半円５００ｂに「コピー」の文字列が示されており、中心点５００ａ（選択情報の位置）の下側の半円５００ｃに「翻訳」の文字列が示されている。これにより、上スライド操作に対しては、選択情報をコピーする処理が対応付けられており、下スライド操作に対しては、選択情報を翻訳する処理が対応付けられていることが理解できる。
【０１０９】
図３３は、図３１に示される対応関係テーブル２２２が使用される際の画面操作特定部２１０での実行指示操作の特定方法を説明するための図である。
【０１１０】
上述のように、ユーザは、表示情報選択操作を行った後、実行指示操作を行うために、まず、表示画面４において選択情報（図３３の例では選択文字列２６０）が表示されている領域５１０に対して画面操作手段を接触させる。画面操作特定部２１０は、この画面操作手段の接触点を中心点５２０とした所定半径の円５３０を考える。そして、画面操作特定部２１０は、中心点５２０を基準にして円５３０を上下２つの半円５３０ａに区分する。画面操作特定部２１０は、図３３の矢印５５０に示されるように、表示画面４での画面操作手段の接触点が中心点５２０から上側の半円５３０ａ内を移動して円５３０の外側まで移動すると、表示画面４に対して上スライド操作が行われたと判定する。つまり、ユーザが、画面操作手段を中心点５２０から上側の半円５３０ａ内を通って円５３０の外側までスライドさせると、画面操作特定部２１０は、表示画面４に対して上スライド操作が行われたと判定する。処理実行部２００では、画面操作特定部２１０で特定された上スライド操作に対応するコピー処理が行われる。
【０１１１】
これに対して、図３３の矢印５６０に示されるように、表示画面４での画面操作手段の接触点が中心点５２０から下側の半円５３０ａ内を移動して円５３０の外側まで移動すると、画面操作特定部２１０は、表示画面４に対して下スライド操作が行われたと判定する。つまり、ユーザが、画面操作手段を中心点５２０から下側の半円５３０ａ内を通って円５３０の外側までスライドさせると、画面操作特定部２１０は、表示画面４に対して下スライド操作が行われたと判定する。これにより、処理実行部２００では、画面操作特定部２１０で特定された下スライド操作に対応する翻訳処理が行われる。
【０１１２】
また、画面操作特定部２１０は、表示画面４での画面操作手段の接触点が円５３０の外側まで移動せずに、当該画面操作手段が表示画面４から離れたときには、つまり、ユーザが画面操作手段のスライドを円５３０内で終了したときには、表示画面４に対して実行指示操作が行われなかったと判定する。この場合には、処理実行部２００では、選択情報を使用した表示情報利用処理は行われない。
【０１１３】
なお、本例においても、表示画面４での画面操作手段の接触点が円５３０の外側まで移動せずに、当該画面操作手段が表示画面４から離れた場合には、選択情報の選択を解除しても良いし、選択情報の選択を維持しても良い。選択情報の選択が解除される場合には、ユーザは、あらためて表示情報選択操作を行って上で、実行指示操作を行うことになる。一方で、選択情報の選択が維持される場合には、ユーザは、あらためて表示情報選択操作を行うことなく、実行指示操作を行うことができる。
【０１１４】
また、本例においては、表示画面４での画面操作手段の接触点が、中心点５２０から上側の半円５３０ａ内を通って円５３０の外側まで移動する場合だけではなく、図３４の矢印５７０に示されるように、中心点５２０から一度下側の半円５３０ｂ内に移動するものの、最終的には上側の半円５３０ａ内を通って円５３０の外側まで移動する場合であってもコピー処理を行っても良い。後者のスライド操作については、選択情報（選択文字列２６０）から上方向へのスライド操作とは言えないが、後者のスライド操作についても上スライド操作として、画面操作特定部２１０は特定することになる。
【０１１５】
同様にして、表示画面４での画面操作手段の接触点が、中心点５２０から下側の半円５３０ａ内を通って円５３０の外側まで移動する場合だけではなく、図３５の矢印５８０に示されるように、中心点５２０から一度上側の半円５３０ｂ内に移動するものの、最終的には下側の半円５３０ａ内を通って円５３０の外側まで移動する場合であっても、表示画面４に対して下スライド操作が行われたと判定して、当該下スライド操作に対応する翻訳処理を行っても良い。
【０１１６】
画面操作特定部２１０において、図３３の矢印５５０，５６０のようなスライド操作だけではなく、図３４の矢印５７０及び図３５の矢印５８０のようなスライド操作も実行指示操作として特定される場合には、円５３０内でのスライド操作の軌跡、つまり表示画面４での画面操作手段の接触点の円５３０内での移動軌跡については無視される。そして、画面操作特定部２１０では、当該接触点が円５３０の外側に出た時点での当該接触点の位置が、中心点５２０の上方にあれば、上スライド操作が行われたと特定され、中心点５２０の下方にあれば、下スライド操作が行われたと特定される。言い換えれば、画面操作特定部２１０では、表示画面４での画面操作手段の接触点が円５３０の外側に出る直前において上方向のスライド操作が行われていれば、上スライド操作（実行指示操作）が行われたと判断され、当該接触点が円５３０の外側に出る直前において下方向のスライド操作が行われていれば、下スライド操作（実行指示操作）が行われたと判断される。
【０１１７】
このように、表示画面４での画面操作手段の接触点が円５３０の外側に出る直前でのスライド操作の方向に応じて、実行する表示情報利用処理を決定することによって、電子機器１００の操作性が向上する。
【０１１８】
例えば、コピーを行いたいと考えるユーザが、選択情報から誤って下方向にスライド操作を行ったが、すぐに誤りに気づいた場合には、スライド操作を上方向に変更することによって、電子機器１００にコピーを実行させることができる。
【０１１９】
また、翻訳を行いたいと考えたユーザが下方向に少しスライド操作を行った後、コピーを行いたいと考え直した場合には、ユーザはスライド操作を上方向に変更することによって、処理実行部２００にコピーを実行させることができる。
【０１２０】
＜第３変形例＞
表示画面４に対して、連続して複数の実行指示操作が行われる場合には、当該複数の実行指示操作にそれぞれ対応する表示情報利用処理を連続して行っても良い。
【０１２１】
例えば、上述の図７に示される対応関係テーブル２２２が使用される場合において、画面操作特定部２１０が、表示情報選択操作の後に続いて、右上スライド操作と真下スライド操作とが連続して行われたことを特定すると、処理実行部２００は、右上スライド操作及び真下スライド操作にそれぞれ対応するコピー処理及び翻訳処理を、選択情報を使用して連続的に行う。このとき、図３６に示されるように、上方向のスライド操作に対応するコピー処理が完了したことを示す処理完了通知情報２７０は選択情報（選択文字列２６０）の上方に表示し、下方向のスライド操作に対応する翻訳処理の結果を示す処理結果通知情報２８０は選択情報（選択文字列２６０）の下側に表示することが望ましい。これにより、同時に表示される処理完了通知情報２７０及び処理結果通知情報２８０のそれぞれが、連続して行われた２つのスライド操作のどちらに対応するのかを直感的に理解することができる。つまり、実行指示操作であるスライド操作に対応する表示情報利用処理が完了した後に表示される、処理完了通知情報２７０等の情報（以後、「処理完了後表示情報」と呼ぶ）が位置する場所（選択情報に対して上側あるいは下側）と、当該スライド操作の方向（上方あるいは下方向）とが対応するため、連続して実行される複数の実行指示操作にそれぞれ対応する複数の表示情報利用処理が完了した後に、複数の処理完了後表示情報が同時に表示される場合であっても、各実行指示操作に対応する処理完了後表示情報がどこに表示されているのかを容易に特定することができる。
【０１２２】
＜第４変形例＞
表示画面４に表示される、縦書きの文字列あるいは記号列を選択する場合には、画面操作手段を上下方向に移動させる必要がある。このとき、実行指示操作として、上記のように、上方向のスライド操作あるいは下方向のスライド操作を採用すると、表示情報選択操作と実行指示操作とが似たような操作となり、両者が紛らわしくなる。
【０１２３】
そこで、実行指示操作として上方向のスライド操作及び下方向のスライド操作が登録されている対応関係テーブル２２２とは別に、選択情報が縦書きの情報である場合に使用される対応関係テーブル６２２を設けて、当該対応関係テーブル６２２に対して実行指示操作として右方向のスライド操作及び左方向のスライド操作を登録する。図３７は当該対応関係テーブル６２２の一例を示す図である。
【０１２４】
図３７に示されるように、対応関係テーブル６２２では、「コピー」、「文書内検索」、「ネット検索」、「辞書登録」、「翻訳」及び「切り取り」が、「右下スライド操作」、「真右スライド操作」、「右上スライド操作」、「左上スライド操作」、「真左スライド操作」及び「左下スライド操作」とそれぞれが対応付けられている。
【０１２５】
ここで、「真右スライド操作」とは、ユーザが画面操作手段を選択情報から真右方向に向かってスライドさせる操作である。また「真左スライド操作」とは、ユーザが画面操作手段を選択情報から真左方向に向かってスライドさせる操作である。
【０１２６】
図３８は、上述の図８と同様に、図３７に示される対応関係テーブル６２２での実行指示操作と表示情報利用処理との対応関係を視覚的に分かりやすくするために、当該対応関係テーブル６２２を円６３０を用いて図形化したものである。円６３０の中心点６３０ａは、表示画面４上での選択情報の位置を示している。
【０１２７】
図３８に示されるように、円６３０は、中心点６３０ａを基準にして左右に２分割されており、右側の半円と左側の半円のそれぞれが、３つの扇形領域６３０ｂに区分されている。そして、中心点６３０ａ（選択情報の位置）から右下方向の扇形領域６３０ｂには「コピー」の文字列が示されている。これにより、右下スライド操作に対しては、選択情報をコピーする処理が対応付けられていることが理解できる。
【０１２８】
中心点６３０ａ（選択情報の位置）から真右方向の扇形領域６３０ｂには「文書内検索」の文字列が示されている。これにより、真右スライド操作に対しては、選択情報を、当該選択情報が示されている文書内で検索する文書内検索が対応付けられていることが理解できる。
【０１２９】
中心点６３０ａ（選択情報の位置）から右上方向の扇形領域６３０ｂには「ネット検索」の文字列が示されている。これにより、右上スライド操作に対しては、選択情報を検索サイトを利用してインターネット上で検索するネット検索が対応付けられていることが理解できる。
【０１３０】
中心点６３０ａ（選択情報の位置）から左上方向の扇形領域６３０ｂには「辞書登録」の文字列が示されている。これにより、左上スライド操作に対しては、選択情報を辞書登録する処理が対応付けられていることが理解できる。
【０１３１】
中心点６３０ａ（選択情報の位置）から真左方向の扇形領域６３０ｂには「翻訳」の文字列が示されている。これにより、真左スライド操作に対しては、選択情報を翻訳する処理が対応付けられていることが理解できる。
【０１３２】
そして、中心点６３０ａ（選択情報の位置）から左下方向の扇形領域６３０ｂには「切り取り」の文字列が示されている。これにより、左下スライド操作に対しては、選択情報を当該選択情報が示される文書から切り取る処理が対応付けられていることが理解できる。
【０１３３】
処理実行部２００は、選択情報が縦書きの文字列である場合と縦書きの記号列である場合には、対応関係テーブル６２２を参照して、画面操作特定部２１０で特定された実行指示操作に応じた表示情報利用処理を実行する。
【０１３４】
一方で、処理実行部２００は、選択情報が、縦書きの文字列及び縦書きの記号列以外の場合には、上述のようにして、対応関係テーブル２２２を参照して、画面操作特定部２１０で特定された実行指示操作に応じた表示情報利用処理を実行する。
【０１３５】
次に、対象表示画面４に表示される縦書きの文字列を選択する表示情報選択操作が行われてから、当該文字列を用いた表示情報利用処理が実行されるまでの電子機器１００での一連の動作について説明する。
【０１３６】
図３９は、ユーザが縦書きの文字列を選択する様子を示す図である。図３９に示されるように、ユーザが、自身の指２５０によって、対象表示画面４における、選択対象の縦書きの文字列が表示されている領域を下方向になぞり、その後、指２５０を対象表示画面４から離すと、画面操作特定部２１０では、当該文字列を選択する表示情報選択操作が対象表示画面４に対して行われたことが特定される。そうすると、図４０に示されるように、対象表示画面４では、選択情報である選択された文字列６６０（以後、「選択文字列６６０」と呼ぶ）をハイライト表示（強調表示）する。
【０１３７】
ユーザが、表示情報選択操作に続いて、図４１に示されるように、自身の指２５０を対象表示画面４に接触させた状態で、選択文字列６６０から右下方向にスライドさせると、画面操作特定部２１０では、対象表示画面４に対して、表示情報選択操作に続いて右下スライド操作が行われたことが特定される。そうすると、処理実行部２００は、対応関係テーブル６２２を参照して、右下スライド操作に対応する表示情報利用処理を選択文字列６６０を用いて実行する。具体的には、処理実行部２００は、選択文字列６６０をコピーして、記憶部２２に記憶する。その後、図４２に示されるように、対象表示画面４には、コピー処理が完了したことを示す処理完了通知情報２７０が表示される。
【０１３８】
図４３は、ユーザが、対象表示画面４に対して、表示情報選択操作に続いて、真左スライド操作を行う様子を示す図である。図４３に示されるように、ユーザが、表示情報選択操作に続いて、自身の指２５０を対象表示画面４に接触させた状態で、選択文字列６６０から真左方向にスライドさせると、画面操作特定部２１０では、対象表示画面４に対して、表示情報選択操作に続いて真左スライド操作が行われたことが特定される。そうすると、処理実行部２００は、対応関係テーブル６２２を参照して、真左スライド操作に対応する表示情報利用処理を選択文字列６６０を用いて実行する。具体的には、処理実行部２００は、選択文字列６６０を英語に翻訳する。その後、図４４に示されるように、対象表示画面４には、翻訳処理の処理結果を示す処理結果通知情報２８０と表示消去ボタン２８０ａとが表示される。表示消去ボタン２８０ａがユーザによって操作されると、対象表示画面４では、処理結果通知情報２８０の表示が消去される。
【０１３９】
なお、上述の図２４を用いて説明した実行指示操作の特定方法において、円３３０を左右に２分割して、右側の半円及び左側の半円のそれぞれを３つの扇形領域３３０ａに区分すれば、後は同様にして、選択情報が縦書きの情報である場合であっても実行指示操作を特定することができる。
【０１４０】
また、上述の図３１に示される対応関係テーブル２２２を使用する場合には、対応関係テーブル６２２を図４５のように構成する。図４５に示される対応関係テーブル６２２では、「コピー」と「右スライド操作」とが対応付けられており、「翻訳」と「左スライド操作」とが対応付けられている。ここで、「右スライド操作」とは、ユーザが画面操作手段を選択情報から右方向に向かってスライドさせる操作である。また「左スライド操作」とは、ユーザが画面操作手段を選択情報から左方向に向かってスライドさせる操作である。
【０１４１】
図４６は、上述の図３２と同様に、図４５に示される対応関係テーブル６２２での実行指示操作と表示情報利用処理との対応関係を視覚的に分かりやすくするために、当該対応関係テーブル２２２を円７００を用いて図形化したものである。円７００の中心点７００ａは、表示画面４上での選択情報の位置を示している。
【０１４２】
図４６に示されるように、円７００は中心点７００ａを基準にして左右に２分割されており、中心点７００ａ（選択情報の位置）の右側の半円７００ｂに「コピー」の文字列が示されており、中心点７００ａ（選択情報の位置）の左側の半円７００ｃに「翻訳」の文字列が示されている。これにより、右スライド操作に対しては、選択情報をコピーする処理が対応付けられており、左スライド操作に対しては、選択情報を翻訳する処理が対応付けられていることが理解できる。
【０１４３】
選択情報が縦書きの情報である場合に図４５に示される対応関係テーブル６２２を使用する場合には、上述の図３３を用いて説明した実行指示操作の特定方法において、円５３０を左右に２分割すれば、後は同様にして、実行指示操作を特定することができる。
【０１４４】
また、図４５に示される対応関係テーブル６２２を使用する場合には、上述の図３４，３５を用いて説明したように、表示画面４での画面操作手段の接触点が円５３０の外側に出る直前でのスライド操作の方向（右方向か左方向）に応じて、実行する表示情報利用処理を決定しても良い。
【０１４５】
なお、対応関係テーブル２２２に対して、上方向のスライド操作だけ、あるいは下方向のスライド操作だけを登録しても良い。例えば、図７に示される対応関係テーブル２２２においては、右上スライド操作、真上スライド操作及び左上スライド操作だけを登録しても良いし、左下スライド操作、真下スライド操作及び右下スライド操作だけを登録しても良い。また、図３１に示される対応関係テーブル２２２においては、上スライド操作だけを登録しても良いし、下スライド操作だけを登録しても良い。
【０１４６】
また、対応関係テーブル６２２に対して、右方向のスライド操作だけ、あるいは左方向のスライド操作だけを登録しても良い。例えば、図３７に示される対応関係テーブル６２２においては、右下スライド操作、真右スライド操作及び右上スライド操作だけを登録しても良いし、左上スライド操作、真左スライド操作及び左下スライド操作だけを登録しても良い。また、図４５に示される対応関係テーブル６２２においては、右スライド操作だけを登録しても良いし、左スライド操作だけを登録しても良い。
【０１４７】
また、実行指示操作としてフリック操作を使用する場合には、対応関係テーブル２２２に対しては、上方向のフリック操作だけ、あるいは下方向のフリック操作だけを登録しても良いし、対応関係テーブル６２２に対しては、右方向のフリック操作だけ、あるいは左方向のフリック操作だけを登録しても良い。
【０１４８】
＜第５変形例＞
電子機器１００において、画面操作特定部２１０が表示画面４に対して表示情報選択操作が行われたことを特定すると、言い換えれば、画面操作特定部２１０が表示画面４に対する表示情報選択操作が完了したと判断すると、表示制御部２０４は、当該表示画面４を有する表示部３を制御して、当該表示画面４に対応関係テーブル２２２を表示しても良い。
【０１４９】
例えば、表示制御部２０４は、対応関係テーブル２２２を、上述の図８に示される図形と同じように図形化し、それによって得られる図形８００を、表示画面４に対して表示情報選択操作が行われると、図４７に示されるように、当該表示画面４に表示する。その後、表示画面４に対して実行指示操作が行われると、表示制御部２０４は、表示画面４から図形８００を消去する。
【０１５０】
また、対応関係テーブル６２２が使用される場合には、表示制御部２０４は、対応関係テーブル６２２を、上述の図３８に示される図形と同じように図形化し、それによって得られる図形８１０を、表示画面４に対して表示情報選択操作が行われると、図４８に示されるように、当該表示画面４に表示する。その後、表示画面４に対して実行指示操作が行われると、表示制御部２０４は、表示画面４から図形８１０を消去する。
【０１５１】
このように、表示画面４に表示されている情報が選択されると、ユーザの指示なく、当該表示画面４に対応関係テーブル２２２，６２２を表示することによって、ユーザは、実行指示操作を行いやすくなる。このとき、図４７，４８に示されるように、ユーザによって選択された情報（選択文字列２６０，６６０）に重ならないように対応関係テーブル２２２，６２２を表示画面４に表示することによって、ユーザは、選択した情報を確認しながら所望の実行指示操作を行うことができる。また、対応関係テーブル２２２，６２２をユーザによって選択された情報に重ねて表示する場合には、ユーザによって選択された情報が視認可能となるように、対応関係テーブル２２２，６２２（より詳細には図形８００，８１０）を半透明で表示しても良い。この場合にも、ユーザは、選択した情報を確認しながら所望の実行指示操作を行うことができる。
【０１５２】
＜第６変形例＞
上記の例では、画面操作特定部２１０は、表示画面４において選択対象の情報が表示されている領域が画面操作手段でなぞられ、その後、当該画面操作手段が当該表示画面４から離れた時点で、表示情報選択操作が完了したと判断していたが、他の基準に基づいて、表示情報選択操作が完了したと判断しても良い。
【０１５３】
例えば、画面操作特定部２１０は、表示画面４において選択対象の情報が表示されている領域が画面操作手段でなぞられ、その終了点、つまり当該画面操作手段の移動が停止した位置において、当該表示画面４が当該画面操作手段によって一定時間以上連続して接触されていることを検出すると、表示情報選択操作が完了したと判断しても良い。そして、画面操作特定部２１０において、表示情報選択操作が完了したと判断されると、上記のように、表示画面４に対応関係テーブル２２２，６２２が表示されても良い。
【０１５４】
このように、表示画面４において選択対象の情報が表示されている領域が画面操作手段でなぞられ、その終了点において、当該表示画面４が当該画面操作手段によって一定時間以上連続して接触された場合に、表示情報選択操作が完了したと判断することによって、ユーザは、画面操作手段によって、表示画面４において選択対象の情報が表示されている領域をなぞなった後、当該画面操作手段を当該表示画面４から離した場合であっても、当該画面操作手段の移動が停止した位置において当該表示画面４が当該画面操作手段によって一定時間以上連続して接触されていない場合には、当該表示画面４に表示されている情報を選択し直すことができる。よって、電子機器１００の操作性がさらに向上する。
【０１５５】
＜第７変形例＞
図４９〜５２は、本変形例に係る電子機器１００の表示例を示す図である。本変形例では、表示画面４に対して表示情報選択操作が行われると、当該表示画面４には、図４９に示されるように、選択文字列２６０の先頭の下方に、選択範囲を編集するための編集オブジェクト９００が表示される。このとき、図４９に示されるように、対応関係テーブル２２２を示す図形８００が表示画面４に表示されても良い。
【０１５６】
図４９に示される状態において、ユーザが表示画面４に対して実行指示操作を行うと、対応関係テーブル２２２において当該実行指示操作に対応付けられている表示情報利用処理が、選択文字列２６０を用いて実行される。一方で、ユーザが編集オブジェクト９００に対して画面操作手段を接触させると、電子機器１００では表示情報の選択範囲を編集することが可能となって、図５０に示されるように、対応関係テーブル２２２を示す図形８００が表示画面４から消去される。
【０１５７】
図５０に示される状態において、ユーザは、編集オブジェクト９００に接触させた画面操作手段を、表示画面４に接触させた状態で右方向あるいは左方向に移動させることによって、編集オブジェクト９００の位置を起点として、文字列の選択範囲を変更することができる。
【０１５８】
図５１は、ユーザが、編集オブジェクト９００に接触させた画面操作手段を、表示画面４に接触させた状態で右方向に移動させて、選択文字列２６０の最後の位置を変更させた様子を示す図である。図５１に示されるように、画面操作手段が編集オブジェクト９００から右方向に移動すると、選択文字列２６０の先頭の下方には編集オブジェクト９００が表示され、選択文字列２６０の末尾の下方には、別の編集オブジェクト９０１が表示される。つまり、２つの編集オブジェクト９００，９０１で挟まれた文字列が選択文字列２６０となっている。このとき、対応関係テーブル２２２を示す図形８００が再度表示される。図５１に示される状態において、ユーザが表示画面４に対して実行指示操作を行うと、対応関係テーブル２２２において当該実行指示操作に対応付けられている表示情報利用処理が、選択文字列２６０を用いて実行される。
【０１５９】
図５２は、ユーザが、編集オブジェクト９００に接触させた画面操作手段を、表示画面４に接触させた状態で左方向に移動させて、選択文字列２６０の先頭の位置を変更させた様子を示す図である。図５２に示されるように、画面操作手段が編集オブジェクト９００から左方向に移動すると、選択文字列２６０の末尾の下方には編集オブジェクト９００が表示され、選択文字列２６０の先頭の下方には、別の編集オブジェクト９０１が表示される。つまり、２つの編集オブジェクト９００，９０１で挟まれた文字列が選択文字列２６０となっている。このとき、対応関係テーブル２２２を示す図形８００が再度表示される。図５２に示される状態において、ユーザが表示画面４に対して実行指示操作を行うと、対応関係テーブル２２２において当該実行指示操作に対応付けられている表示情報利用処理が、選択文字列２６０を用いて実行される。
【０１６０】
電子機器１００が図５１あるいは図５２の状態になると、ユーザは、画面操作手段を用いて、編集オブジェクト９００，９０１を右方向及び左方向に移動させることが可能となる。編集オブジェクト９００に接触した画面操作手段が右方向あるいは左方向にスライドすると、当該編集オブジェクト９００はそのスライド方向に移動する。同様に、編集オブジェクト９０１に接触した画面操作手段が右方向あるいは左方向にスライドすると、当該編集オブジェクト９０１はそのスライド方向に移動する。ユーザは、編集オブジェクト９００，９０１の少なくとも一方を移動させることによって、選択文字列２６０の範囲を変更することができる。
【０１６１】
＜その他の変形例＞
上述の実施の形態及びその変形例では、本願発明を携帯電話機に適用する場合を例にあげて説明したが、本願発明は携帯電話機以外の電子機器にも適用することができる。
【０１６２】
また、本願発明は、上述の電子機器１００とは異なり、複数の表示画面が常に同時に視認可能な状態である電子機器に対しても適用することができる。また、本願発明は、開状態では複数の表示画面を同時に視認可能であるものの、閉状態では複数の表示画面のすべてが視認できないような電子機器に対しても適用することができる。例えば、２つの筐体を互いに重なるように折り畳むことができる２つ折り型の携帯電話機やノート型のパーソナルコンピュータにおいて、当該２つの筐体の内側の面のそれぞれに表示画面が形成されたものに対しても、本願発明を適用することができる。また、本願発明は、上述の電子機器１００とは異なり、一つの表示画面だけを有する電子機器に対しても適用することができる。
【符号の説明】
【０１６３】
４  表示画面
４ａ  第１表示画面
４ｂ  第２表示画面
２２  記憶部
１００  電子機器
２００  処理実行部
２１０  画面操作特定部
２２０  メインプログラム
２２２，６２２  対応関係テーブル
【図１】
2013092821.tif 000003
【図２】
2013092821.tif 000004
【図３】
2013092821.tif 000005
【図４】
2013092821.tif 000006
【図５】
2013092821.tif 000007
【図６】
2013092821.tif 000008
【図７】
2013092821.tif 000009
【図８】
2013092821.tif 000010
【図９】
2013092821.tif 000011
【図１０】
2013092821.tif 000012
【図１１】
2013092821.tif 000013
【図１２】
2013092821.tif 000014
【図１３】
2013092821.tif 000015
【図１４】
2013092821.tif 000016
【図１５】
2013092821.tif 000017
【図１６】
2013092821.tif 000018
【図１７】
2013092821.tif 000019
【図１８】
2013092821.tif 000020
【図１９】
2013092821.tif 000021
【図２０】
2013092821.tif 000022
【図２１】
2013092821.tif 000023
【図２２】
2013092821.tif 000024
【図２３】
2013092821.tif 000025
【図２４】
2013092821.tif 000026
【図２５】
2013092821.tif 000027
【図２６】
2013092821.tif 000028
【図２７】
2013092821.tif 000029
【図２８】
2013092821.tif 000030
【図２９】
2013092821.tif 000031
【図３０】
2013092821.tif 000032
【図３１】
2013092821.tif 000033
【図３２】
2013092821.tif 000034
【図３３】
2013092821.tif 000035
【図３４】
2013092821.tif 000036
【図３５】
2013092821.tif 000037
【図３６】
2013092821.tif 000038
【図３７】
2013092821.tif 000039
【図３８】
2013092821.tif 000040
【図３９】
2013092821.tif 000041
【図４０】
2013092821.tif 000042
【図４１】
2013092821.tif 000043
【図４２】
2013092821.tif 000044
【図４３】
2013092821.tif 000045
【図４４】
2013092821.tif 000046
【図４５】
2013092821.tif 000047
【図４６】
2013092821.tif 000048
【図４７】
2013092821.tif 000049
【図４８】
2013092821.tif 000050
【図４９】
2013092821.tif 000051
【図５０】
2013092821.tif 000052
【図５１】
2013092821.tif 000053
【図５２】
2013092821.tif 000054